(57)【特許請求の範囲】
【請求項１】
被補正回路の入力信号と出力信号とを合成した合成信号の信号レベルを検出する位相ずれ検出部と、
前記位相ずれ検出部により検出された合成信号の信号レベルの変化に基づいて、前記入力信号と前記出力信号との間の位相差と、その目標となる位相差である１８０°との間に生じている位相のずれを補正する位相ずれ補正部と、
を備えたことを特徴とする位相ずれ補正回路。
【請求項２】
入力信号と出力信号との間のゲイン及び位相を変更する位相可変増幅部と、
前記入力信号と前記出力信号とを合成した合成信号の信号レベルを検出する位相ずれ検出部と、
前記位相ずれ検出部により検出された合成信号の信号レベルの変化に基づいて、前記入力信号と前記出力信号との間の位相差と、その目標となる位相差である１８０°との間に生じている位相のずれを補正する位相ずれ補正部と、
を備えたことを特徴とする位相可変増幅回路。
【請求項３】
前記位相ずれ補正部は、前記入力信号と前記出力信号との間の位相差に対する合成信号の信号レベルに基づいて、前記位相のずれを補正することを特徴とする請求項２に記載の位相可変増幅回路。
【請求項４】
前記位相ずれ検出部は、
前記入力信号と前記出力信号とを合成し、その合成した信号を前記合成信号として出力する合成部と、
前記合成部により出力された合成信号の信号レベルを検出する検出部と、
を備え、
前記位相ずれ補正部は、
前記位相のずれを補正する際の補正量を示す位相補正値を出力する制御部と、
前記検出部により検出された合成信号の信号レベルが、１つ前の位相補正値が設定されていた時の合成信号の信号レベルよりも大きいか否かを判定するレベル判定部と、
を備え、
前記制御部は、前記検出部により検出された合成信号の信号レベルが、前記１つ前の位相補正値が設定されていた時の合成信号の信号レベルよりも大きくなるまで、出力する位相補正値を進ませていく、又は遅らせていくことを特徴とする請求項３に記載の位相可変増幅回路。
【請求項５】
前記位相ずれ補正部は、前記制御部により出力された位相補正値に基づいて、前記出力信号の位相を変更することが可能な位相可変部を備えたことを特徴とする請求項４に記載の位相可変増幅回路。
【請求項６】
前記位相ずれ補正部は、前記位相可変増幅部の位相を制御するための位相制御信号に、前記制御部により出力された位相補正値を加算する加算部を備えたことを特徴とする請求項４に記載の位相可変増幅回路。
【請求項７】
前記位相ずれ補正部は、少なくとも、前記検出部により検出された合成信号の信号レベルが、前記１つ前の位相補正値が設定されていた時の合成信号の信号レベルよりも大きくなった時に、前記制御部により出力されていた位相補正値を記憶する記憶部を備えたことを特徴とする請求項５又は６に記載の位相可変増幅回路。
【請求項８】
位相ずれ検出部が、被補正回路の入力信号と出力信号とを合成した合成信号の信号レベルを検出する位相ずれ検出ステップ、
位相ずれ補正部が、前記位相ずれ検出ステップで検出された合成信号の信号レベルに基づいて、前記入力信号と前記出力信号との間の位相差と、その目標となる位相差である１８０°との間に生じている位相のずれを補正する位相ずれ補正ステップを有することを特徴とする位相ずれ補正方法。
【請求項９】
前記位相ずれ検出ステップを実行する前に、
前記位相ずれ補正部が、自補正部を初期状態とする位相初期化ステップを有することを特徴とする請求項８に記載の位相ずれ補正方法。
【請求項１０】
位相可変増幅部が、入力信号と出力信号との間のゲイン及び位相を変更する位相可変増幅ステップ、
位相ずれ検出部が、前記入力信号と前記出力信号とを合成した合成信号の信号レベルを検出する位相ずれ検出ステップ、
位相ずれ補正部が、前記位相ずれ検出ステップにより検出された合成信号の信号レベルの変化に基づいて、前記入力信号と前記出力信号との間の位相差と、その目標となる位相差である１８０°との間に生じている位相のずれを補正する位相ずれ補正ステップを有することを特徴とする位相調整方法。
【請求項１１】
前記位相ずれ補正ステップは、前記位相ずれ補正部が、前記入力信号と前記出力信号との間の位相差に対する合成信号の信号レベルに基づいて、前記位相のずれを補正することを特徴とする請求項１０に記載の位相調整方法。
【請求項１２】
前記位相ずれ検出ステップは、
合成部が、前記入力信号と前記出力信号とを合成し、その合成した信号を前記合成信号として出力する合成ステップ、
検出部が、前記合成ステップで出力された合成信号の信号レベルを検出する検出ステップを有し、
前記位相ずれ補正ステップは、
制御部が、前記位相のずれを補正する際の補正量を示す位相補正値を出力する制御ステップ、
レベル判定部が、前記検出ステップで検出された合成信号の信号レベルが、１つ前の位相補正値が設定されていた時の合成信号の信号レベルよりも大きいか否かを判定するレベル判定ステップを有し、
前記制御ステップは、前記制御部が、前記検出ステップで検出された合成信号の信号レベルが、前記１つ前の位相補正値が設定されていた時の合成信号の信号レベルよりも大きくなるまで、出力する位相補正値を進ませていく、又は遅らせていくことを特徴とする請求項１１に記載の位相調整方法。
【請求項１３】
前記位相ずれ補正ステップは、位相可変部が、前記制御ステップで出力された位相補正値に基づいて、前記出力信号の位相を変更する位相可変ステップを有することを特徴とする請求項１２に記載の位相調整方法。
【請求項１４】
前記位相ずれ補正ステップは、加算部が、前記位相可変増幅部の位相を制御するための位相制御信号に、前記制御ステップで出力された位相補正値を加算する加算ステップを有することを特徴とする請求項１２に記載の位相調整方法。
【請求項１５】
前記位相ずれ補正ステップは、記憶部が、少なくとも、前記検出ステップで検出された合成信号の信号レベルが、前記１つ前の位相補正値が設定されていた時の合成信号の信号レベルよりも大きくなった時に、前記制御ステップで出力されていた位相補正値を記憶する記憶ステップを有することを特徴とする請求項１３又は１４に記載の位相調整方法。
【請求項１６】
前記位相ずれ検出ステップを実行する前に、
前記位相可変増幅部が、前記入力信号と前記出力信号との間のゲインを０にするためのゲイン制御信号を入力するゲイン制御信号入力ステップ、
前記位相可変増幅部が、前記入力信号と前記出力信号との間の位相を逆位相にするための位相制御信号を入力する位相制御信号入力ステップ、
前記位相ずれ補正部が、自補正部を初期状態とする位相初期化ステップを有することを特徴とする請求項１０〜１５のいずれか１項に記載の位相調整方法。
【発明の詳細な説明】
【技術分野】
【０００１】
本発明は、位相ずれ補正回路、位相可変増幅回路、位相ずれ補正方法及び位相調整方法に関し、特に被補正回路の入力信号と出力信号との間の位相差と、その目標となる位相差との間に生じている位相のずれを補正する位相ずれ補正回路、位相可変増幅回路、位相ずれ補正方法及び位相調整方法に関する。
【背景技術】
【０００２】
携帯電話等の電子機器で、受信した信号波にノイズ波が多く含まれることがある。このノイズ波は周囲からの電磁波等であり、ノイズ波が多いと受信した信号を処理する際に様々な影響が出る。このため、このノイズ波を除去、つまりノイズ波をキャンセルするノイズキャンセル技術がある。ここで、一般的なノイズキャンセル技術を用いた特許文献１のノイズキャンセル回路について説明する。
【０００３】
図６に示すノイズキャンセル回路１００は、下記のような方法でノイズ波をキャンセルしている。まず、ＥＭＩノイズ取得部１０９は、ノイズ波を取得する。そして、位相可変増幅器１０２は、取得したノイズ波の位相を反転させる。さらに、バンドパスフィルタ１０３、遅延処理部１０４及びＶＧＡ１０５は、ノイズ波の信号出力レベルを調整する。最後に、加算器は、信号出力レベルが調整されたノイズ波と、受信部１０７で受信した信号波とを加算する。つまり、ノイズキャンセル回路１００は、信号波に含まれるノイズ波を、位相を反転させたノイズ波で打ち消すようにキャンセルしている。
【０００４】
このようにしてノイズ波をキャンセルするためには、ノイズ波の位相を変える必要がある。このため、ノイズキャンセル回路には、一般的に位相とゲインとを独立して可変することのできる位相可変増幅器が用いられている。このノイズキャンセル回路１００においては、位相可変増幅器１０２を有している。
但し、位相可変増幅器１０２の位相特性や位相を可変にする精度には、製造上の固有の位相誤差があるのが一般的である。このため、制御部１０１は、例えば位相可変増幅器１０２に設定されている位相設定値で示される位相と実際の位相とを逐次比較するようなアルゴリズムを用いて、位相可変増幅器１０２に位相設定値を再設定している。制御部１０１は、このような処理を実行することによって、位相可変増幅器１０２に設定する位相設定値を、ノイズ波が丁度キャンセルされるような位相設定値に追い込んでいる。
【０００５】
ところが、入力信号と出力信号との間の位相差と、その目標となる位相差との間の位相のずれが大きく生じている場合がある。このような場合には、位相可変増幅器１０２の位相とゲインとの設定を少し変化させただけでは、ノイズ波のレベルの変化量が小さいことがある。このため、入力信号と出力信号との間の位相差と、その目標となる位相差との間に位相のずれが生じている場合には、ノイズ波をキャンセルすることのできる正確な位相の出力信号が位相可変増幅器１０２から出力されるように、位相可変増幅器１０２の位相特性を補正するのが望ましい。
【先行技術文献】
【特許文献】
【０００６】
【特許文献１】米国特許出願公開第２００７／００６００５９号明細書
【発明の概要】
【発明が解決しようとする課題】
【０００７】
しかしながら、上記のノイズキャンセル回路１００においては、位相可変増幅器１０２に製造上の位相誤差が含まれているままの状態で、位相可変増幅器１０２に設定する位相設定値を追い込んでいる。このため、ノイズキャンセル回路１００においては、入力信号と出力信号との間の位相差と、その目標となる位相差との間の位相のずれを直接検出するのは比較的難しい。同時に、位相可変増幅器１０２に設定する位相設定値を最適値に直接設定するのは比較的難しい。
【０００８】
そこで、本発明は、上記の課題に鑑み、被補正回路の入力信号と出力信号との間の目標の位相差と、実際の位相差との間の位相のずれを容易に検出すると共に、位相のずれを容易に補正して、ノイズ波を最適にキャンセルすることのできる正確な位相の出力信号を出力することのできる位相ずれ補正回路、位相可変増幅回路、位相ずれ補正方法及び位相調整方法を提供することを目的とする。
【課題を解決するための手段】
【０００９】
本発明による位相ずれ補正回路、位相可変増幅回路、位相ずれ補正方法及び位相調整方法は、上記の目的を達成するために、次のように構成される。
本発明による位相ずれ補正回路は、被補正回路の入力信号と出力信号とを合成した合成信号の信号レベルを検出する位相ずれ検出部と、前記位相ずれ検出部により検出された合成信号の信号レベルの変化に基づいて、前記入力信号と前記出力信号との間の位相差と、その目標となる位相差である１８０°との間に生じている位相のずれを補正する位相ずれ補正部と、を備えたことを特徴とする。
【００１０】
上記の位相ずれ補正回路によれば、被補正回路である位相可変増幅器等の入力信号と出力信号との間の位相差を変化させた時に合成信号の信号レベルが変化することを応用して、位相ずれ補正部が、被補正回路の入力信号と出力信号との間の位相差と、その目標となる位相差との間に生じている位相のずれを補正する。
つまり、位相ずれ補正回路は、位相ずれ検出部が入力信号と出力信号との位相差を合成信号レベルに変換することで、実際の位相差と本来の位相差との間に生じている位相のずれを容易に検出することが可能となる。これと共に、位相ずれ補正回路は、位相ずれ補正部がその合成信号の信号レベルが最小値になるように入力信号と出力信号との位相差を変えていくことで、実際の位相差と本来の位相差との間に生じている位相のずれを容易に補正することが可能となる。
【００１１】
本発明による第１の位相可変増幅回路は、入力信号と出力信号との間のゲイン及び位相を変更する位相可変増幅部と、前記入力信号と前記出力信号とを合成した合成信号の信号レベルを検出する位相ずれ検出部と、前記位相ずれ検出部により検出された合成信号の信号レベルの変化に基づいて、前記入力信号と前記出力信号との間の位相差と、その目標となる位相差である１８０°との間に生じている位相のずれを補正する位相ずれ補正部と、を備えたことを特徴とする。
【００１２】
上記の第１の位相可変増幅回路によれば、位相可変増幅器等の位相可変増幅部の後段に、位相のずれを容易に補正するための位相ずれ検出部及び位相ずれ補正部が接続されている。このため、位相ずれ検出部及び位相ずれ補正部が、位相可変増幅部の入力信号と出力信号との間の実際の位相差と本来の位相差との間に生じている位相のずれを容易に検出することができると共に、その位相のずれを容易に補正することができる。つまり、位相ずれ検出部及び位相ずれ補正部によって、位相のずれが生じるのを抑えることができる。
これにより、位相可変増幅回路は、ノイズ波を最適にキャンセルすることのできる正確な位相の出力信号を出力することが可能となる。
【００１３】
本発明による第２の位相可変増幅回路は、前記位相ずれ補正部は、前記入力信号と前記出力信号との間の位相差に対する合成信号の信号レベルに基づいて、前記位相のずれを補正することを特徴とする。
上記の第２の位相可変増幅回路によれば、まず、位相可変増幅部が、入力信号と出力信号との間のゲイン及び位相を変更する。その後で、入力信号と出力信号との間の位相が逆位相、つまり位相差が丁度１８０度になる時に合成信号の信号レベルが最小値になることを応用して、位相ずれ検出部が合成信号の信号レベルを検出し、位相ずれ補正部が位相可変増幅部の入力信号と出力信号との間の位相差と、その目標となる位相差との間に生じている位相のずれを補正する。
つまり、位相ずれ補正部が、位相補正値を変化させた時に検出された合成信号の信号レベルが最小になるように位相補正値を変化させていくことで、位相可変増幅部の入力信号と出力信号との間の位相差と、その目標となる位相差との間に生じている位相のずれを容易に補正することが可能となる。
【００１４】
本発明による第３の位相可変増幅回路は、前記位相ずれ検出部は、前記入力信号と前記出力信号とを合成し、その合成した信号を前記合成信号として出力する合成部と、前記合成部により出力された合成信号の信号レベルを検出する検出部と、を備え、前記位相ずれ補正部は、前記位相のずれを補正する際の補正量を示す位相補正値を出力する制御部と、前記検出部により検出された合成信号の信号レベルが、１つ前の位相補正値が設定されていた時の合成信号の信号レベルよりも大きいか否かを判定するレベル判定部と、を備え、前記制御部は、前記検出部により検出された合成信号の信号レベルが、前記１つ前の位相補正値が設定されていた時の合成信号の信号レベルよりも大きくなるまで、出力する位相補正値を進ませていく、又は遅らせていくことを特徴とする。
【００１５】
上記の第３の位相可変増幅回路によれば、合成部が、入力信号と出力信号とを合成した合成信号を出力する。又、検出部が、その合成信号の信号レベルを検出する。そして、レベル判定部が、検出部により検出された合成信号の信号レベルと、１つ前の位相補正値が設定されていた時の合成信号の信号レベルとの大小関係を判定する。そして、制御部が、その判定結果に基づいて、合成信号の信号レベルが最小値になるように位相補正値を出力していく。これにより、最終的に、実際の位相差と本来の位相差との間に生じている位相のずれを容易に補正することが可能となる。
【００１６】
本発明による第４の位相可変増幅回路は、前記位相ずれ補正部は、前記制御部により出力された位相補正値に基づいて、前記出力信号の位相を変更することが可能な位相可変部を備えたことを特徴とする。
上記の第４の位相可変増幅回路によれば、位相可変部が、位相可変増幅部の後段に接続され、制御部から出力された位相補正値に基づいて、位相可変増幅部の入力信号と出力信号との間の位相差と、その目標となる位相差との間に生じている位相のずれを容易に補正することが可能となる。
【００１７】
本発明による第５の位相可変増幅回路は、前記位相ずれ補正部は、前記位相可変増幅部の位相を制御するための位相制御信号に、前記制御部により出力された位相補正値を加算する加算部を備えたことを特徴とする。
上記の第５の位相可変増幅回路によれば、加減算部が、位相可変部に入力される位相制御信号で示される位相値に、制御部から出力された位相補正値を直接加算する。これにより、上記の位相可変部を用いなくても、位相可変部を用いている時と同様に、位相可変増幅部の入力信号と出力信号との間の位相差と、その目標となる位相差との間に生じている位相のずれを容易に補正することが可能となる。
【００１８】
本発明による第６の位相可変増幅回路は、前記位相ずれ補正部は、少なくとも、前記検出部により検出された合成信号の信号レベルが、前記１つ前の位相補正値が設定されていた時の合成信号の信号レベルよりも大きくなった時に、前記制御部により出力されていた位相補正値を記憶する記憶部を備えたことを特徴とする。
上記の第６の位相可変増幅回路によれば、レベル判定部により判定された合成信号の信号レベルと、１つ前の位相補正値が設定されていた時の合成信号の信号レベルとの大小関係の判定結果を、記憶部が記憶しておく。これにより、制御部は、記憶部に記憶されている判定結果に基づいて位相可変部に出力させる位相補正値を決定し、位相可変部に位相補正値を設定することが可能となる。
【００１９】
本発明による第１の位相ずれ補正方法は、位相ずれ検出部が、被補正回路の入力信号と出力信号とを合成した合成信号の信号レベルを検出する位相ずれ検出ステップ、位相ずれ補正部が、前記位相ずれ検出ステップで検出された合成信号の信号レベルに基づいて、前記入力信号と前記出力信号との間の位相差と、その目標となる位相差である１８０°との間に生じている位相のずれを補正する位相ずれ補正ステップを有することを特徴とする。
【００２０】
上記の第１の位相ずれ補正方法によれば、上記の各ステップを実行することで、上記の位相ずれ補正回路と同様の作用が得られる。
本発明による第２の位相ずれ補正方法は、前記位相ずれ検出ステップを実行する前に、前記位相ずれ補正部が、自補正部を初期状態とする位相初期化ステップを有することを特徴とする。
上記の第２の位相ずれ補正方法によれば、位相ずれ検出ステップを実行する前に上記のステップを実行することによって、位相ずれ補正部を初期状態とすることが可能となる。
【００２１】
本発明による第１の位相調整方法は、位相可変増幅部が、入力信号と出力信号との間のゲイン及び位相を変更する位相可変増幅ステップ、位相ずれ検出部が、前記入力信号と前記出力信号とを合成した合成信号の信号レベルを検出する位相ずれ検出ステップ、位相ずれ補正部が、前記位相ずれ検出ステップにより検出された合成信号の信号レベルの変化に基づいて、前記入力信号と前記出力信号との間の位相差と、その目標となる位相差である１８０°との間に生じている位相のずれを補正する位相ずれ補正ステップを有することを特徴とする。
上記の第１の位相調整方法によれば、上記の各ステップを実行することで、上記の第１の位相可変増幅回路と同様の作用が得られる。
【００２２】
本発明による第２の位相調整方法は、前記位相ずれ補正ステップは、前記位相ずれ補正部が、前記入力信号と前記出力信号との間の位相差に対する合成信号の信号レベルに基づいて、前記位相のずれを補正することを特徴とする。
上記の第２の位相調整方法によれば、上記の各ステップを実行することで、上記の第２の位相可変増幅回路と同様の作用が得られる。
【００２３】
本発明による第３の位相調整方法は、前記位相ずれ検出ステップは、合成部が、前記入力信号と前記出力信号とを合成し、その合成した信号を前記合成信号として出力する合成ステップ、検出部が、前記合成ステップで出力された合成信号の信号レベルを検出する検出ステップを有し、前記位相ずれ補正ステップは、制御部が、前記位相のずれを補正する際の補正量を示す位相補正値を出力する制御ステップ、レベル判定部が、前記検出ステップで検出された合成信号の信号レベルが、１つ前の位相補正値が設定されていた時の合成信号の信号レベルよりも大きいか否かを判定するレベル判定ステップを有し、前記制御ステップは、前記制御部が、前記検出ステップで検出された合成信号の信号レベルが、前記１つ前の位相補正値が設定されていた時の合成信号の信号レベルよりも大きくなるまで、出力する位相補正値を進ませていく、又は遅らせていくことを特徴とする。
上記の第３の位相調整方法によれば、上記の各ステップを実行することで、上記の第３の位相可変増幅回路と同様の作用が得られる。
【００２４】
本発明による第４の位相調整方法は、前記位相ずれ補正ステップは、位相可変部が、前記制御ステップで出力された位相補正値に基づいて、前記出力信号の位相を変更する位相可変ステップを有することを特徴とする。
上記の第４の位相調整方法によれば、上記の各ステップを実行することで、上記の第４の位相可変増幅回路と同様の作用が得られる。
【００２５】
本発明による第５の位相調整方法は、前記位相ずれ補正ステップは、加算部が、前記位相可変増幅部の位相を制御するための位相制御信号に、前記制御ステップで出力された位相補正値を加算する加算ステップを有することを特徴とする。
上記の第５の位相調整方法によれば、上記の各ステップを実行することで、上記の第５の位相可変増幅回路と同様の作用が得られる。
【００２６】
本発明による第６の位相調整方法は、前記位相ずれ補正ステップは、記憶部が、少なくとも、前記検出ステップで検出された合成信号の信号レベルが、前記１つ前の位相補正値が設定されていた時の合成信号の信号レベルよりも大きくなった時に、前記制御ステップで出力されていた位相補正値を記憶する記憶ステップを有することを特徴とする。
上記の第６の位相調整方法によれば、上記の各ステップを実行することで、上記の第６の位相可変増幅回路と同様の作用が得られる。
【００２７】
本発明による第７の位相調整方法は、前記位相ずれ検出ステップを実行する前に、前記位相可変増幅部が、前記入力信号と前記出力信号との間のゲインを０にするためのゲイン制御信号を入力するゲイン制御信号入力ステップ、前記位相可変増幅部が、前記入力信号と前記出力信号との間の位相を逆位相にするための位相制御信号を入力する位相制御信号入力ステップ、前記位相ずれ補正部が、自補正部を初期状態とする位相初期化ステップを有することを特徴とする。
上記の第７の位相調整方法によれば、上記の各ステップを実行することによって、上記の第２の位相ずれ補正方法と同様の作用が得られる。
【発明の効果】
【００２８】
本発明による位相ずれ補正回路及び位相調整方法は、入力信号と出力信号との位相差を合成信号に変換し、その合成信号の信号レベルにより実際の位相差と本来の位相差との間に生じている位相のずれを容易に検出することができる。これと共に、位相ずれ補正回路及び位相調整方法は、その合成信号の信号レベルが最小値になるように入力信号と出力信号との位相差を変えていくことにより、実際の位相差と本来の位相差との間に生じている位相のずれを容易に補正することができる。
【００２９】
又、本発明による位相可変増幅回路及び位相調整方法は、位相可変増幅部に接続された位相ずれ検出部及び位相ずれ補正部によって、位相のずれを容易に検出することができると共に、位相のずれを容易に補正することができる。つまり、位相ずれ検出部及び位相ずれ補正部によって、位相のずれが生じるのを抑えることができる。これにより、位相可変増幅回路及び位相調整方法は、ノイズ波を最適にキャンセルすることのできる正確な位相の出力信号を出力することができる。
【図面の簡単な説明】
【００３０】
【図１】第１実施形態に係る位相ずれ補正回路１２を用いた位相可変増幅回路１０の構成を示すブロック図である。
【図２】入力信号と出力信号との間の位相差に対する合成信号の信号レベルを示すグラフである。
【図３】入力信号と出力信号との間の位相差に対する合成信号の信号レベルを示すグラフである。
【図４−１】第１実施形態に係る位相ずれ補正回路１２における位相ずれ補正方法を用いた位相可変増幅回路１０における位相調整方法の処理の流れを示すフローチャートである。
【図４−２】第１実施形態に係る位相ずれ補正回路１２における位相ずれ補正方法を用いた位相可変増幅回路１０における位相調整方法の処理の流れを示すフローチャートである。
【図５】第２実施形態に係る位相ずれ補正回路２１を用いた位相可変増幅回路２０の構成を示すブロック図である。
【図６】従来の一般的なノイズキャンセル回路の構成を示すブロック図である。
【発明を実施するための最良の形態】
【００３１】
以下、添付図面を参照しながら、本発明を適用した位相ずれ補正回路及び位相可変増幅回路の実施形態を詳細に説明する。なお、図面の説明において、同一の要素には同一の符号を付し、重複する説明を省略する。
（第１実施形態）
（位相ずれ補正回路１２を用いた位相可変増幅回路１０の構成）
まず、図１を参照して、第１実施形態に係る位相ずれ補正回路１２を用いて構成された位相可変増幅回路１０の構成を説明する。
【００３２】
図１に示す位相可変増幅回路１０は、位相可変増幅器１１と、位相ずれ補正回路１２と、入力信号入力端子１３と、ゲイン制御信号入力端子１４と、位相制御信号入力端子１５と、出力信号出力端子１６とを備えて構成される。この位相可変増幅回路１０は、被補正回路である位相可変増幅器１１の後段に、位相可変増幅器１１の入力信号と出力信号との間の位相差と、その目標となる位相差との間に生じている位相のずれを補正するための位相ずれ補正機能を有した位相ずれ補正回路１２が接続されている。なお、位相可変増幅回路１０は、位相可変増幅器１１を位相可変増幅部とする。但し、位相可変増幅部は、入力信号と出力信号との間のゲインと位相とを変更することのできる回路であれば、位相可変増幅器以外の回路であっても構わない。
【００３３】
位相可変増幅器１１は、位相可変増幅回路１０が搭載されたシステムや装置の全体を統括して制御する、図示しない主制御部等から、ゲイン制御信号入力端子１４を介して、ゲイン制御信号を入力する。又、位相可変増幅器１１は、主制御部等から、位相制御信号入力端子１５を介して、位相制御信号を入力する。そして、位相可変増幅器１１は、ゲイン制御信号と位相制御信号とに基づいて、入力信号入力端子１３から入力された入力信号と、出力信号出力端子１６から出力された出力信号との間のゲイン及び位相を変更する。例えば、位相可変増幅器１１でその入力信号と出力信号との間の位相差が１８０度になるようになっていれば、その目標となる位相差は１８０度である。そして、実際の位相差が１８０度でなければ、位相のずれが生じていることになる。
【００３４】
位相ずれ補正回路１２は、位相ずれ検出部１７と、位相ずれ補正部１８とを備えて構成される。そして、位相ずれ補正回路１２は、位相可変増幅器１１の入力信号と出力信号との間の位相差と、その目標となる位相差との間に生じている位相のずれを補正する。
位相ずれ検出部１７は、合成部１７ａと、検出部１７ｂとから構成される。
合成部１７ａは、入力信号入力端子１３から入力信号を入力し、位相可変増幅器１１及び位相可変部１８ｄによってゲイン及び位相が変更された出力信号を入力する。合成部１７ａは、入力信号と出力信号とを合成し、合成した信号を合成信号として出力する。なお、この合成信号の信号レベルは、位相のずれがない時に最小値になる。
【００３５】
検出部１７ｂは、合成部１７ａから出力された合成信号の信号レベルを検出する。
従来技術で説明したように、検出部１７ｂが、位相可変増幅器１１の入力信号と出力信号との間の位相差と、その目標となる位相差との間に生じている位相のずれを直接検出するのは、比較的難しい。そこで、合成部１７ａが、上記の位相のずれ具合を合成信号の信号レベルに変換している。これにより、検出部１７ｂが、位相のずれを容易に検出することができるようになる。
【００３６】
位相ずれ補正部１８は、レベル判定部１８ａと、記憶部１８ｂと、制御部１８ｃと、位相可変部１８ｄとを備えて構成される。そして、位相ずれ補正部１８は、位相可変増幅器１１の入力信号と出力信号との間の位相差と、その目標となる位相差との間に生じている位相のずれを補正する。
レベル判定部１８ａは、検出部１７ｂによって検出された合成信号の信号レベルが、後述する位相補正値（位相補正コード）が１つ前の設定されていた時の合成信号の信号レベルよりも大きいか否かを判定する。
【００３７】
記憶部１８ｂは、レベル判定部１８ａによって判定された判定結果や、制御部１８ｃによって出力されている位相補正値を記憶するためのメモリやトリミング回路等である。具体的に言えば、この記憶部１８ｂには、検出部１７ｂにより検出された合成信号の信号レベルが、１つ前の位相補正値が設定されていた時の合成信号の信号レベルよりも大きくなったことが記憶される。さらに、記憶部１８ｂには、その時に制御部１８ｃから出力されていた位相補正値等が記憶される。
【００３８】
制御部１８ｃは、記憶部１８ｂに記憶されている判定結果に基づいて、位相可変部１８ｄに位相補正値を変化させて出力する。この位相補正値とは、位相可変増幅器１１の入力信号と出力信号との間の位相差と、その目標となる位相差との間に生じている位相のずれを、位相可変部１８ｄにおいて補正する際の補正量を示すものである。なお、制御部１８ｃが、位相可変部１８ｄに位相補正値を出力する処理手順については、この後で詳細に説明する。
【００３９】
位相可変部１８ｄは、位相可変増幅器１１の後段に接続される。そして、位相可変部１８ｄには、制御部１８ｃから出力された位相補正値が設定される。位相可変部１８ｄは、位相可変増幅器１１に入力された入力信号と、その入力信号のゲイン及び位相が変更された出力信号との実際の位相差と、本来の位相差との間に生じている位相のずれを容易に補正する。
【００４０】
従来技術で説明したように、位相可変部１８ｄが、位相可変増幅器１１の位相設定値を最適値に直接設定するのは、比較的難しい。そこで、制御部１８ｃが、位相可変部１８ｄに設定する位相補正値を変えていく。さらに、レベル判定部１８ａが、１つ前の位相補正値が設定されていた時の合成信号の信号レベルと、現在の合成信号の信号レベルとの大小関係を判定する。そして、制御部１８ｃは、その判定結果に基づいて、合成信号の信号レベルが最小値になるように位相可変部１８ｄに位相補正値を設定していく。これにより、位相可変部１８ｄが、位相のずれを容易に補正することができるようになる。
【００４１】
（入力信号と出力信号との間の位相差に対する合成信号の信号レベル）
続いて、図２及び図３を参照して、入力信号と出力信号との間の位相差と、それに対する合成信号のレベルとの関係について説明する。
図２及び図３に示すグラフの縦軸は、合成部１７ａから出力された合成信号の信号レベルを示す。又、グラフの横軸は、入力信号と出力信号との間の位相差を示す。図２に実線で示すように、入力信号と出力信号との間の位相差が、０度から大きくなるのにつれて、合成信号の信号レベルは次第に小さくなっていく。そして、入力信号と出力信号との間の位相差が、１８０度から大きくなるのにつれて、合成信号の信号レベルは次第に大きくなっていく。つまり、入力信号と出力信号との間の位相差が、丁度１８０度になる時点で、合成信号の信号レベルは最小値になる。
【００４２】
ところが、位相可変増幅器１１に入力された入力信号と、位相可変増幅器１１から出力されたゲイン及び位相が変更された出力信号との実際の位相差と、本来の位相差との間に位相のずれが生じている場合には、図２に破線で示すように、合成信号の信号レベルが実線で示した合成信号の信号レベルと比較してずれている。つまり、位相可変増幅器１１が入力信号と出力信号との間の位相差を１８０度にした場合であっても、実際の位相差が１８０度になっていなければ、合成信号の信号レベルは最小値にならない。
【００４３】
まず、位相可変増幅器１１は、入力信号入力端子１３と出力信号出力端子１６との間のゲインが０になり、又入力信号と出力信号との間の位相差が１８０度になるように初期設定をしておく。そして、制御部１８ｃは、合成信号の信号レベルが最小値になるように、位相可変部１８ｄの位相補正値を１つずつ進ませていく。このようにして、位相可変増幅器１１の入力信号と出力信号との実際の位相差と、本来の位相差との間に生じている位相のずれを容易に補正することができる。
【００４４】
又、上記とは逆に、図３に示すように、入力信号と出力信号との間の位相差が１８０度よりも大きいところで、合成信号の信号レベルが最小値になる場合がある。この場合には、合成信号の信号レベルが最小値になるように位相可変部１８ｄの位相補正値を１つずつ遅らせていく。このようにして、位相可変増幅器１１の入力信号と出力信号との実際の位相差と、本来の位相差との間に生じている位相のずれを容易に補正することができる。
【００４５】
上記で説明したように、従来技術の位相可変増幅器においては、位相可変増幅器１１の入力信号と出力信号との実際の位相差と、本来の位相差との間に生じている位相のずれを直接検出したり、位相可変増幅器１１の位相設定値を最適値に直接設定するのは比較的難しかった。しかしながら、本実施形態に係る位相ずれ補正回路１２を用いた位相可変増幅回路１０においては、位相可変増幅器１１の入力信号と出力信号との位相差を合成信号レベルに変換することで、実際の位相差と本来の位相差との間に生じている位相のずれを容易に検出することができるようになっている。これと共に、この位相可変増幅回路１０においては、その合成信号の信号レベルが最小値になるように位相可変部１８ｄに設定する位相補正値を変えていくことで、その位相のずれを容易に補正することができるようになっている。
このような、位相可変増幅回路１０の入力信号と出力信号との位相差を最適に調整する位相調整方法では、位相ずれ補正回路１２により位相可変増幅器１１の入力信号と出力信号との実際の位相差と、本来の位相差との間に生じている位相のずれを補正する位相ずれ補正方法を用いている。
【００４６】
（位相ずれ補正方法を用いた位相調整方法の処理の流れ）
続いて、図４−１及び図４−２を参照して、第１実施形態に係る位相ずれ補正回路１２における位相ずれ補正方法を用いた位相可変増幅回路１０における位相調整方法の処理の流れを説明する。
まず、位相可変増幅器１１の初期設定を行う。このため、位相可変増幅器１１は、入力信号入力端子１３から入力信号を入力する（ステップＳ１０１）。次に、位相可変増幅器１１は、入力信号入力端子１３と出力信号出力端子１６との間のゲインを０にするためのゲイン制御信号を入力する（ステップＳ１０２）。又、位相可変増幅器１１は、入力信号と出力信号との間の位相差を１８０度にするための位相制御信号を入力する（ステップＳ１０３）。このようにして、位相可変増幅器１１のゲイン及び位相を予め設定しておく。これにより、製造上のばらつきによる位相ずれがない場合には、図２及び図３のグラフに示したように、入力信号と出力信号との間の位相差が丁度１８０度になる時点で、合成信号の信号レベルを最小値にすることができる。
【００４７】
又、この初期状態では、位相のずれを補正する位相可変部１８ｄに設定される位相補正値を、補正量がないことを示す初期値に初期化しておく必要がある。このため、制御部１８ｃは、記憶部１８ｂに位相補正値として０を記憶させる（ステップＳ１０４）。続いて、制御部１８ｃは、位相可変部１８ｄの位相補正値を０に設定する（ステップＳ１０５）。
【００４８】
上記の初期設定が終了すると、製造上のばらつきによる位相ずれがない場合には、この時の合成信号のレベルは、図２及び図３のグラフに示したように、入力信号と出力信号との間の位相差が丁度１８０度の時の値、つまり最小値になる。しかしながら、この初期状態で位相にずれが生じている場合には、合成信号のレベルは、例えば、図２及び図３の中に破線で示したように位相差が１８０度のところで最小値にならない。このような場合には、上記の初期設定が終了した後で、さらに位相のずれを補正する必要がある。
【００４９】
まず、制御部１８ｃは、位相可変部１８ｄの位相補正値を１つだけ進ませる（ステップＳ１０６）。検出部１７ｂは、合成器１７ａで入力信号と出力信号とを合成した合成信号の信号レベルを検出する（ステップＳ１０７）。レベル判定部１８ａは、検出部１７ｂで検出された現在の検出レベルが、１つ前の位相補正値が設定されていた時の検出レベルよりも大きくないと判定した場合には（ステップＳ１０８のＮＯ）、記憶部１８ｂに判定結果を記憶させる。その上で、制御部１８ｃは、位相可変部１８ｄに設定されている位相補正値を１進ませる（ステップＳ１０９）。検出部１７ｂは、合成信号レベルを検出する（ステップＳ１１０）。さらに、レベル判定部１８ａは、検出部１７ｂで検出した現在の検出レベルと、１つ前の位相補正値が設定されていた時の検出レベルとの大小関係を判定する。又、レベル判定部１８ａは、検出部１７ｂで検出された現在の検出レベルが、１つ前の位相補正値が設定されていた時の検出レベルよりも大きくないと判定した場合には（ステップＳ１１１のＮＯ）、記憶部１８ｂに判定結果を記憶させる。その上で、再びステップＳ１０９に戻り、上記の処理を繰り返す。
【００５０】
そして、ステップＳ１１１で、レベル判定部１８ａが、検出部１７ｂで検出した現在の検出レベルが、１つ前の位相補正値が設定されていた時の検出レベルよりも大きいと判定した場合には（ステップＳ１１１のＹＥＳ）、入力信号と出力信号との間の位相差が１８０度よりも大きくなったことを意味する。このため、レベル判定部１８ａは、１つ前に設定されていた位相補正値を記憶部１８ｂに記憶させる（ステップＳ１１２）。最後に、制御部１８ｃは、位相可変部１８ｄに、記憶部１８ｂに記憶されている位相補正値を設定する（ステップＳ１１３）。これにより、位相のずれが補正され、位相のずれが生じていない状態になる。
【００５１】
又、ステップＳ１０８で、レベル判定部１８ａは、検出部１７ｂで検出した現在の検出レベルが、１つ前の位相補正値が設定されていた時の検出レベルよりも大きいと判定した場合には（ステップＳ１０８のＹＥＳ）、記憶部１８ｂに判定結果を記憶させる。この時、合成信号の信号レベルは、図３に破線で示したように入力信号と出力信号との間の位相差が１８０度よりも大きいところで最小値になる。このため、制御部１８ｃは、位相可変部１８ｄに設定されている位相補正値を１つだけ遅らせる（ステップＳ１１４）。さらに、検出部１７ｂは、この時の合成信号レベルを検出する（ステップＳ１１５）。又、レベル判定部１８ａは、検出部１７ｂにより検出された現在の検出レベルと、１つ前の位相補正値が設定されていた時の検出レベルとの大小関係を判定する（ステップＳ１１６）。そして、レベル判定部１８ａは、検出部１７ｂにより検出された現在の検出レベルが、１つ前の位相補正値が設定されていた時の検出レベルよりも大きくないと判定した場合には（ステップＳ１１６のＮＯ）、記憶部１８ｂに判定結果を記憶させる。その上で、再びステップＳ１１４に戻って、上記の処理を繰り返す。
【００５２】
そして、ステップＳ１１６で、レベル判定部１８ａが、検出部１７ｂにより検出された現在の検出レベルが、１つ前の位相補正値が設定されていた時の検出レベルよりも大きいと判定した場合には（ステップＳ１１６のＹＥＳ）、入力信号と出力信号との間の位相差が１８０度よりも小さくなったことを意味する。このため、レベル判定部１８ａは、１つ前に設定されていた位相補正値を記憶部１８ｂに記憶させる（ステップＳ１１２）。最後に、制御部１８ｃは、位相可変部１８ｄに、記憶部１８ｂに記憶されている位相補正値を設定する（ステップＳ１１３）。これにより、位相のずれが補正されて、位相のずれが生じていない状態になる。
これで、位相ずれ補正方法を用いた位相調整方法の全ての処理が完了する。
【００５３】
（位相ずれ補正回路１２を用いた位相可変増幅回路１０のまとめ）
上記で説明したように、第１実施形態に係る位相ずれ補正回路１２を用いた位相可変増幅回路１０においては、位相可変増幅器１１の入力信号と出力信号との間の実際の位相差と、その目標となる位相差との間に生じている位相のずれを合成信号の信号レベルに変換することにより、位相のずれを容易に検出することができる。
又、位相可変増幅回路１０においては、その合成信号の信号レベルが最小値になるように位相可変部１８ｄが入力信号と出力信号との間の実際の位相差を調整していくことにより、位相のずれを容易に補正することができる。
【００５４】
（第２実施形態）
（位相ずれ補正回路２１を用いた位相可変増幅回路２０の構成）
続いて、図５を参照して、第２実施形態に係る位相ずれ補正回路２１を用いた位相可変増幅回路２０の構成を説明する。
図５に示す位相可変増幅回路２０は、図１に示した位相可変増幅回路１０が備える各部を備えて構成されるものである。しかしながら、位相可変増幅回路２０は、位相ずれ補正回路２１のうちの位相ずれ補正部２２の回路構成が、位相ずれ補正回路１２の位相ずれ補正部１８の回路構成と異なるものである。位相ずれ補正部２２は、位相ずれ補正部１８が備えていた位相可変部１８ｄを備えていない代わりに、加算部１８ｅを備えている。
加算部１８ｅは、位相可変増幅器１１に入力される位相制御信号で示される位相値に、制御部１８ｃから出力された位相補正値を直接加算した上で、その位相値を示す位相制御信号を出力する。
【００５５】
（位相ずれ補正方法を用いた位相調整方法の処理の流れ）
この位相ずれ補正回路２１を用いた位相可変増幅回路２０と、図１に示した位相ずれ補正回路１２を用いた位相可変増幅回路１０との違いは、位相を補正する構成部が異なるだけである。従って、位相ずれ補正回路２１を用いた位相可変増幅回路２０においても、位相ずれ補正方法の処理の流れは、位相ずれ補正回路１２を用いた位相可変増幅回路１０と実質同じである。
【００５６】
（位相ずれ補正回路２１を用いた位相可変増幅回路２０のまとめ）
上記で説明したように、第２実施形態に係る位相ずれ補正回路２１を用いた位相可変増幅回路２０においては、位相のずれを補正する際に位相可変部１８ｄを用いていない。但し、位相ずれ補正回路２１を用いた位相可変増幅回路２０においても、位相可変増幅回路１０と同様に、位相のずれを合成信号の信号レベルに変換することで位相のずれを容易に検出することができる。このため、位相可変増幅器１１に入力される位相制御信号で示される位相値に、制御部１８ｃから出力された位相補正値を直接加算すれば、位相ずれ補正回路２１を用いた位相可変増幅回路２０においても、位相のずれを容易に補正することができる。
【００５７】
（各実施形態に係る位相ずれ補正回路を用いた位相可変増幅回路のまとめ）
上記で説明した各実施形態に係る位相ずれ補正回路を用いた位相可変増幅回路においては、被補正回路である位相可変増幅器１１の入力信号と出力信号との間の位相差が丁度１８０度である時に、入力信号と出力信号とを合成した合成信号の信号レベルが最小値になることを応用して、位相可変増幅器１１の入力信号と出力信号との間の位相差と、その目標となる位相差との間に生じている位相のずれを検出すると共に、位相のずれを補正する。
【００５８】
具体的には、位相可変増幅回路は、入力信号と出力信号との位相差を合成信号に変換し、その信号レベルにより、実際の位相差と本来の位相差との間に生じている位相のずれを容易に検出することができる。これと共に、位相可変増幅回路は、合成信号の信号レベルが最小値になるように入力信号と出力信号との位相差を変えていくことにより、実際の位相差と本来の位相差との間に生じている位相のずれを容易に補正することができる。
これにより、位相可変増幅回路は、位相可変増幅器の位相特性や位相とを可変にする精度に、製造上の固有の位相誤差が含まれているような場合であっても、位相のずれを抑えることができる。このため、位相可変増幅回路は、ノイズ波をキャンセルすることができる正確な位相の出力信号を出力することができる。
【産業上の利用可能性】
【００５９】
ノイズキャンセル機能が搭載された携帯電話機等の電子機器で、信号波に含まれているノイズ波を最適にキャンセルすることのできる正確な位相の出力信号を出力ための位相ずれ補正回路、位相可変増幅回路、位相ずれ補正方法及び位相調整方法として利用することが可能である。
【符号の説明】
【００６０】
１０，２０        位相可変増幅回路
１１              位相可変増幅器
１２，２１        位相ずれ補正回路
１３              入力信号入力端子
１４              ゲイン制御信号入力端子
１５              位相制御信号入力端子
１６              出力信号出力端子
１７              位相ずれ検出部
１７ａ            合成部
１７ｂ            検出部
１８，２２        位相ずれ補正部
１８ａ            レベル判定部
１８ｂ            記憶部
１８ｃ            制御部
１８ｄ            位相可変部
１８ｅ            加算部
【図１】
0005616258.tif 000002
【図２】
0005616258.tif 000003
【図３】
0005616258.tif 000004
【図４−１】
0005616258.tif 000005
【図４−２】
0005616258.tif 000006
【図５】
0005616258.tif 000007
【図６】
0005616258.tif 000008